(57)【特許請求の範囲】
【請求項１】
基材と蚊取線香の有効成分を含み、外観が筒状形態の屋外用蚊取線香であって、長手方向に対して端面の全てまたは一部が９０度未満の角度をなす端部を有し、外周壁および／または内周壁に溝部を有し、下端部に空気取入口を有することを特徴とする屋外用蚊取線香。
【請求項２】
前記基材に流動パラフィンを配合したことを特徴とする請求項１に記載の屋外用蚊取線香。
【発明の詳細な説明】
【０００１】
【発明の属する技術分野】
本発明は外観が筒状形態の屋外用蚊取線香に関わり、特に、着火性、燃焼性および有効成分の拡散性に優れ、かつ立消えを抑制できる屋外用蚊取線香に関する。
【０００２】
【従来の技術】
従来より渦巻き状の形状を備えた渦蚊取線香が広く使用されている。しかしながら、この従来の渦蚊取線香を屋外で使用する場合、風などの条件により、火が着きにくくなったり、着火しても途中で火が消えるなどの恐れがあった。そこで、屋外で使用する蚊取線香として、容易に着火することができ、かつ途中で消えることなく適度な時間で燃焼するものが望まれている。また、従来の屋外用の蚊取線香においては、その着火性や燃焼性の向上のために蚊取線香本体の先端部に、パラフィン、蝋、油等の種々の燃焼性物質が検討され、それらを処理したものなども使用されている。
【０００３】
【発明が解決しようとする課題】
しかしながら、上記従来の屋外用蚊取線香にあっては、蚊取線香本体の先端部に燃焼性物質を処理して着火性や燃焼性を向上させたものであるが、それでも十分満足のできるものとはいえず、また、通気量が不十分なため、燃焼途中で立ち消えの恐れがあったり、有効成分の広範囲に渡る拡散性が十分でないため、効果が不十分であるなどの問題があった。
【０００４】
本発明は、上記従来の屋外用蚊取線香の欠点を除去することを目的として鋭意研究の結果完成されたものである。すなわち、本発明は、着火性、燃焼性および有効成分の拡散性に優れ、かつ立消えを抑制した簡便で最適な屋外用蚊取線香を提供することを目的としている。
【０００５】
【課題を解決するための手段】
上記課題を解決するために、本発明の屋外用蚊取線香は、基材と蚊取線香の有効成分を含み、外観が筒状形態の屋外用蚊取線香であって、長手方向に対して端面の全てまたは一部が９０度未満の角度をなす端部を有し、外周壁および／または内周壁に溝部を有し、下端部に空気取入口を有するものである。
【０００６】
また、本発明の屋外用蚊取線香においては、基材に流動パラフィンを含むものが好ましい。
【０００７】
【発明の実施の形態】
以下、本発明の屋外用蚊取線香の実施の形態について、〔第１の実施形態〕、〔第２の実施形態〕、〔第３の実施形態〕の順に図面を参照して詳細に説明する。しかし、本発明の内容がこれらの実施形態に限定されるものではない。
尚、本発明において、「蚊取線香」とは、屋外に生息する害虫に対して、防除を行うための線香を意味するものであり、蚊の駆除に限定されるものではない。代表的な対象害虫としては、ハエ、アカイエカ、ヒトスジシマカ、チカイエカ、ユスリカ、ヌカカ等を例示することができる。
【０００８】
〔第１の実施形態〕
図１は本発明の第１の実施形態に係る屋外用蚊取線香の構造図であり、図１（ａ）は平面図、図１（ｂ）は正面図、図１（ｃ）は右側面図、図１（ｄ）は背面図、図１（ｅ）は図１（ａ）におけるＡ−Ａ線の断面図である。
以下、主に第１の実施形態を用いて本発明の内容を具体的に説明するが、本発明の内容がこれに限定されるものではない。
【０００９】
従来の蚊取線香における燃焼時の立消え、着火性不良等の問題点について種々検討した結果、本実施形態の屋外用蚊取線香１０１では、図１に示すように、第１の特徴として外観形態を筒状とし、第２の特徴として長手方向に対して端面が９０度未満の角度θをなす端部を上下端に具備し、第３の特徴として外周壁に溝部を具備し、第４の特徴として当該屋外用蚊取線香１０１を垂直に置いた時に筒の内部空間に外気を取り入れることが可能となる、下端部に空気取入口を有するものとした。
【００１０】
本実施形態の屋外用蚊取線香１０１の燃焼方法は、図１に示すように、長手方向を垂直に置いて使用する場合に、下方より着火すると、燃焼時間が短くなりすぎて屋外に使用するものとしては好ましくないことから、上方より着火することが好ましい。また、本実施形態の蚊取線香の設置については、下方の端部に、筒の内部空間に外気を取り入れるために鋭角の切断部（空気取入口１０３）を設けているので、線香立てを用いずとも、そのままの状態でも使用できるが、図４（ａ）に示すように、従来の線香立てを用いて固定してもよい。
【００１１】
つまり、第１の特徴、すなわち外観形態を筒状とした内部空洞によって、燃焼時に上昇気流を起こし、有効成分を広範囲に飛ばす拡散性を向上させると共に、空気の取入れがスムーズであることによって着火性を向上させることができる。尚、外観形態は筒状であればよく、図１に示したような円柱状に限定されることなく、例えば角柱状等に成形したものであってもよい。
【００１２】
また、第２の特徴、すなわち角度θをなす上方の端部の切り込みによって、局部形状が形成されるとともに煙発生面積をより広くすることができ、着火性を向上させることができる。尚、上方端部の切断面が蚊取線香の長手方向に対して形成する角度については、鋭角にするほど火付きは良くなるが、火の回る速度は遅くなることから、４５°〜７０°が望ましい。
【００１３】
また、第３の特徴、すなわち外周壁に溝部を備えた構造により、線香本体の外周を凹凸形状として煙の発生面積を大きくすることとなり、火付きを良好にすると共に、有効成分の拡散性を向上させる効果をも得ている。尚、本実施形態では、外周壁のみに溝部を備えた構造としたが、さらに内周部にも溝部を備えることとすれば着火性および拡散性をさらに向上させることができ、或いは、内周部のみに溝部を備える構造とすれば本実施形態と同等の効果を得ることができる。
【００１４】
また、第４の特徴、すなわち屋外用蚊取線香１０１を垂直に置いた時に筒の内部空間に外気を取り入れることが可能な構造を、下端部に空気取入口１０３を有するものとすることによって実現しているので、燃焼時に常に適度の通気量が得られ、立消えを著しく減少させることが可能となる。
【００１５】
本発明の屋外用蚊取線香は、内部空間の大きさとしては、断面積として好ましくは０．１〜５．０  ｃｍ2 であり、より好ましくは０．７〜２．０ｃｍ2 である。本発明の屋外用蚊取線香の筒形状における厚さは好ましくは０．２〜１．０ｃｍであり、より好ましくは０．３〜０．７ｃｍである。本発明の屋外用蚊取線香の溝の深さとしては、０．１〜０．５ｃｍが好ましく、より好ましくは０．１〜０．３ｃｍである。本発明の屋外用蚊取線香の溝の数としては、１〜３２個／１本が好ましく、より好ましくは４〜１６個／１本である。
【００１６】
さらに、本実施形態の屋外用蚊取線香１０１では、基材に流動パラフィンや各種の植物油を配合することによって、より多くの煙を出すことができ、有効成分の効果が行き届く範囲をより広くすることができる。尚、流動パラフィンの配合については、屋外用蚊取線香１０１の総重量に対してパラフィンを１〜２０％含有することが好ましく、より好ましくは、３〜７％である。
【００１７】
またさらに、必要に応じて有機・無機発泡剤等のガス発生剤、酸化触媒等の燃焼促進剤を加えることにより、従来の屋外用線香よりも極めて優れた着火性および燃焼性を実現すると共に、立消えを著しく減少させ、有効成分の拡散性を向上させた、簡便で最適な蚊取線香を実現することができる。
【００１８】
さらに、本実施形態の屋外用蚊取線香１０１は、ニトロセルロースと金属の化合物、または、木粉とパラフィンなどを着火剤として、基材に０．２〜２重量％配合させ、あるいは、先端部に処理（塗工長さ１５〜１９ｍｍ、塗工量０．４〜０．８ｇ／１本）することができる。具体的な処理例を挙げると、硝化綿（５２％）と金属化合物（３０％）と可塑剤（１８％）とからなる固形分４０％と溶剤（６０％）で調整した液を槽に入れ、その槽に線香を２秒間浸漬した後、スタンドに立てて余分な液を切り、風乾して作成することができる。
また、酸化触媒等やガス発生剤として有機・無機発泡剤等を配合して多煙化することもできる。これらは自己燃焼性のものが好ましい。
【００１９】
また、本実施形態の屋外用蚊取線香１０１は、蚊取線香の構成として通常使用される有効成分、支燃剤および結合剤、また、必要に応じて効力増強剤、揮散率向上剤、防黴剤、色素、香料および酸化防止剤等の各種添加剤を任意に含むものである。
【００２０】
尚、有効成分としては、以下に挙げるアレスリンの異性体であり、さらに他のピレスロイド系化合物を用いることができる。そのようなピレスロイド系化合物としては、フェノトリン（３−フェノキシベンジル  ｄ−シス／トランス−クリサンテマ−ト）、ペルメトリン（３−フェノキシベンジル  ｄｌ−シス／トランス−２，２−ジメチル−３−（２’，２’−ジクロロビニル）−シクロプロパンカルボキシレート）、レスメトリン（（５−ベンジル−３−フリル）メチル  ｄ−シス／トランス−クリサンテマート）、アレスリン（ｄｌ−３−アリル−２−メチル−４−オキソ−２−シクロペンテニル  ｄｌ−シス／トランス−クリサンテマート）、フタルスリン（１，３，４，５，６，７−ヘキサヒドロ−ジオキソ−２−インドリル  ｄｌ−シス／トランス−クリサンテマート）、エムペントリン（１−エチニル−２−メチル−２−ペンテニル  ｄｌ−シス／トランス−クリサンテマート）、１−エチニル−２−エチル−２−ペンテニル−２，２，３，３−テトラメチル−シクロプロパンカルボキシレート、１−エチニル−２−メチル−２−ペンテニル−２，２−ジメチル−３−（２’，２’−ジクロロビニル）−シクロプロパンカルボキシレート、プラレトリン（（＋）−２−メチル−４−オキソ−３−プロパギルシクロペント−２−エニル  ｄ−シス／トランス−クリサンテマート）、テフルスリン（２，３，５，６−テトラフルオロ−４−メチルベンジル−３−（２’−クロロ−３’，３’，３’−トリフルオロ−１−プロペニル）−２，２−ジメチルシクロプロパンカルボキシレート）、ベンフルスリン（２，３，５，６−テトラフルオロベンジル−３−（２，２−ジクロロビニル）−２，２−ジメチルシクロプロパンカルボキシレート）、並びに、これらの化合物の異性体、誘導体および類縁体などが用いられ、これらピレスロイド系化合物より選択した一種以上の化合物を蚊取線香に配合できる。
【００２１】
また、蚊取線香基材のうち、支燃剤としては杉粉、除虫菊粉、タブ粉、木粉またはココナツパウダー等が使用され、結合剤としてはコーンスターチまたはタブ粉等が使用される。本発明の線香は、屋外で使用するため適度な燃焼時間が必要となる。よって、基材中の木粉の量を少なくするか、あるいはタブ粉、ジャム粉、澱粉等を増量することで、長い燃焼時間を得ることができる。
さらに、蚊取線香基材に必要に応じて配合される各種添加剤は、効力増強剤としてはピペロニルプトキサイド、Ｎ−プロピルイゾーム、ＭＧＫ−２６４、サイネピリン２２２、サイネピリン５００、リーセン３８４、ＩＢＴＡまたはＳ−４２１等が例示でき、揮散率向上剤としてはフェネチルイソシオシアネート、ハイミックス酸ジメチル、硝酸カリまたは二酸化マンガン等が例示でき、防黴剤としてはデヒドロ酢酸等が例示でき、色素としてはマカライドグリーン等が例示でき、さらに香料としてはシトラールまたはシトロネラール等がそれぞれ例示できる。忌避剤として、ディート、シトロネラ油、ユウカリ油、ゲラニウム油、蚊連草油等が挙げられる。
【００２２】
またさらに、本実施形態の屋外用蚊取線香１０１は、有効成分と基材と均一に練合した後所定の形状に成型してもよく、また、予め基材のみで所定の形状を作り、これに有効成分を塗布、含浸等の処理をさせてもよい。
【００２３】
以上説明したように実施形態の屋外用蚊取線香１０１によれば、線香の外観を筒状とし、外周壁に溝部を備え、上端部に鋭角を持つ切断部を備え、また空気取り入れ構造を具備することによって適度な空隙率を得ることができ、着火性および燃焼性に極めて優れ、有効成分の揮散率を向上させ、さらに立消えを著しく軽減することができる。さらに、基材に流動パラフィンを配合することで、従来の屋外用線香よりも極めて優れた着火性および燃焼性を備え、立消えを軽減させることはもとより、有効成分の拡散性を向上させると共に、重量が軽く、線香立がなくとも使用することができるなど、簡便性に優れた屋外用に最適な蚊取線香を実現することができる。
また、本発明においては、単位時間燃焼するように設定された量の線香を１つのユニットととし、そのユニットを連結させて本発明の線香とすることができる。これにより、使用者が連結させるユニットの数を変化させて所望の燃焼時間を設定できる。
【００２４】
〔第２の実施形態〕
図２は本発明の第２の実施形態に係る屋外用蚊取線香の構成図であり、図２（ａ）は平面図、図２（ｂ）は正面図、図２（ｃ）は右側面図、図２（ｄ）は背面図、図２（ｅ）は図２（ａ）におけるＢ−Ｂ線の断面図である。
【００２５】
図２において、本実施形態の屋外用蚊取線香２０１は、第１の特徴として外観形態を円柱状の筒状とし、第２の特徴として長手方向に対して端面が９０度未満の角度θをなす端部を上下端に具備し、第３の特徴として外周壁に溝部を具備し、第４の特徴として、図４（ｂ）に示すように屋外用蚊取線香２０１を垂直に置いた時に、筒の内部空間に外気を取り入れることが可能な構造を、下端部に空気取入口２０３を有するものとすることによって備えている。
【００２６】
本実施形態の屋外用蚊取線香２０１においても、構造や化学的な成分および処理についてのより具体的な例示、並びに変形等は、第１の実施形態の屋外用蚊取線香１０１と同等であり、特に、上記第１から第４の特徴、および、基材への流動パラフィンの配合によって、第１の実施形態の屋外用蚊取線香１０１と同様に、極めて優れた着火性および燃焼性を実現すると共に、立消えを著しく減少させ、有効成分の拡散性を向上させた、簡便で最適な蚊取線香を実現することができる。
【００２７】
〔第３の実施形態〕
図３は本発明の第３の実施形態に係る屋外用蚊取線香の構成図であり、図３（ａ）は平面図、図３（ｂ）は正面図、図３（ｃ）は右側面図、図３（ｄ）は背面図、図３（ｅ）は図３（ａ）におけるＣ−Ｃ線の断面図である。
【００２８】
図３において、本実施形態の屋外用蚊取線香３０１は、第１の特徴として外観形態を円柱状の筒状とし、第２の特徴として長手方向に対して端面が９０度未満の角度θをなす端部を上下端にそれぞれ２個ずつ具備し、第３の特徴として外周壁に溝部を具備し、第４の特徴として、図４（ｃ）に示すように屋外用蚊取線香３０１を垂直に置いた時に、筒の内部空間に外気を取り入れることが可能な構造、下端部に空気取入口３０３を有するものとすることによって備えている。
【００２９】
本実施形態の屋外用蚊取線香３０１においても、構造や化学的な成分および処理についてのより具体的な例示、並びに変形等は、第１の実施形態の屋外用蚊取線香１０１と同等であり、特に、上記第１から第４の特徴、および、基材への流動パラフィンの配合によって、第１の実施形態の屋外用蚊取線香１０１と同様に、極めて優れた着火性および燃焼性を実現すると共に、立消えを著しく減少させ、有効成分の拡散性を向上させた、簡便で最適な蚊取線香を実現することができる。
【００３０】
ここで、上記第１、第２および第３の実施形態の屋外用蚊取線香の製造方法、特に上下端の端部の裁断処理について検討すると、第１の実施形態の屋外用蚊取線香１０１では、上下端とも同一の角度θをなす端部を形成することとすれば、裁断処理工程がより容易なものとなる。また、第２の実施形態の屋外用蚊取線香２０１および第３の実施形態の屋外用蚊取線香３０１についても、同一の角度θをなす端部を形成することとし、中間素材（円柱状の筒）からこれらを交互に裁断生成していくこととすれば、裁断処理工程は容易なものとなる。
【００３１】
さらに、裁断処理がやや複雑なものとなるが、第１、第２および第３の実施形態の屋外用蚊取線香の変形として、下端部の空気取入口を図５（ａ）、（ｂ）および（ｃ）のような形状とすることもできる。
【００３２】
【実施例】
次に、具体的な実施例について説明するが、本発明の内容がこれらに限定されるものではない。
本実施例で用いる屋外用蚊取線香として、従来より、線香基材として使用されている植物粉末である木粉：１５％、タブ粉：１５％、シャム粉：５％、粕粉：３０％、杉粉：５％、ココナッツ粉：２０％および陳皮：５％の混合物と、流動パラフィン５％と、（アレスリン、マラカイトグリーン）０．３％と、（乳化剤、デヒドロ酢酸ナトリウム）０．３％とを混合成形して屋外用蚊取線香を作成した。尚、作成した屋外用蚊取線香の形状は、図１（第１の実施形態）に示したもので、長さ３２ｃｍ、外径２．３ｃｍ、内径１．５ｃｍ、外周壁の溝部は、深さ２ｍｍ、溝の数８個／１本を備えるものとした。
【００３３】
まず、屋外用蚊取線香の上端部の切断角度θと着火性の関係について試験評価を行った。約５ｃｍに切断した屋外用蚊取線香の上端部を、約２ｃｍ離れたところから４〜４．５ｃｍの大きさに調節したライターの火で５秒間燃焼させた。１分ほど経過した後、屋外用蚊取線香に着火していないときは、再度この操作を５回まで繰り返し、着火するまでの回数を試験した。試験結果を表１に示す。表１から明らかなように、切断角度θが直角（９０度）に近づくにつれて着火性が悪くなった。
【００３４】
（表１）
ＮＯ．  切断角度（θ）  着火するまでの回数    平均回数
１        ４５度            ２，２，２        ２．０
２        ５０度            ２．３．２        ２．３
３        ６０度            ３，３，５        ３．６
４        ７０度            ３，３，３        ３．０
５        ８０度            ５，４，３        ４．０
６        ９０度            ５．４．５        ４．７
【００３５】
次に、燃焼時の煙の拡散性について試験評価を行った。野外で従来の渦線香（重量１３ｇ、大きさは１１〜１１．５ｃｍ）と本発明の上記屋外用蚊取線香とを燃焼させ、煙の拡散性（垂直方向、水平方向）を目視で測定した。結果は、本発明の屋外用蚊取線香は、燃焼時に水平方向に５ｍ近くまで煙が流れた。それに対して従来の渦線香では、０．８ｍ前後であった。
【００３６】
さらに、燃焼時の害虫防除の効力について試験評価を行った。野外で従来の渦線香と本発明の上記屋外用蚊取線香とを燃焼させ、各線香から風下１ｍから５ｍまでの１ｍ刻みの位置に被験者が立ち、５分間隔で２０分までに集まって来る虫（蚊）の数を数え、コントロール（線香に火を付けていない状態）との比較で飛来抑制率を求め比較した。この殺虫防除効力試験の結果を図６に示す。図中、蚊の飛来が８０％以上に抑えられた範囲を黒色領域として示す。同図から明らかに、本発明の屋外用蚊取線香の殺虫防除効力が及ぶ範囲は、従来の渦線香と比較して、距離にしておよそ５倍、面積にしておよそ２５倍の広範囲に及んだ。
【００３７】
【発明の効果】
以上説明したように、本発明の屋外用蚊取線香によれば、基材と蚊取線香の有効成分を含み、外観が筒状形態の屋外用蚊取線香であって、長手方向に対して端面の全てまたは一部が９０度未満の角度をなす端部を有し、外周壁および／または内周壁に溝部を有し、下端部に空気取入口を有するものとし、また特に、基材に流動パラフィンを配合することとしたため、極めて優れた着火性および燃焼性を備え、立消えを著しく軽減でき、有効成分の拡散性を向上させ得ると共に、重量が軽く、線香立が不要であることなど、簡便性に優れた屋外用に最適な屋外用蚊取線香を提供することができる。
【図面の簡単な説明】
【図１】本発明の第１の実施形態に係る屋外用蚊取線香の構造図であり、図１（ａ）は平面図、図１（ｂ）は正面図、図１（ｃ）は右側面図、図１（ｄ）は背面図、図１（ｅ）は図１（ａ）におけるＡ−Ａ線の断面図である。
【図２】本発明の第２の実施形態に係る屋外用蚊取線香の構成図であり、図２（ａ）は平面図、図２（ｂ）は正面図、図２（ｃ）は右側面図、図２（ｄ）は背面図、図２（ｅ）は図２（ａ）におけるＢ−Ｂ線の断面図である。
【図３】本発明の第３の実施形態に係る屋外用蚊取線香の構成図であり、図３（ａ）は平面図、図３（ｂ）は正面図、図３（ｃ）は右側面図、図３（ｄ）は背面図、図３（ｅ）は図３（ａ）におけるＣ−Ｃ線の断面図である。
【図４】各実施形態の屋外用蚊取線香の設置を例示する説明図であり、図４（ａ）は第１の実施形態、図４（ｂ）は第２の実施形態、図４（ｃ）は第３の実施形態をそれぞれ示す。
【図５】実施形態の屋外用蚊取線香の下端部の空気取入口の変形を例示する説明図である。
【図６】殺虫防除効力試験の結果を例示する説明図である。
【符号の説明】
１０１，２０１，３０１，５０１〜５０３    屋外用蚊取線香
１０３，２０３，３０３，５１１〜５１３    空気取入口
４０１                                    線香立て
【図１】
0004226093.tif 000002
【図２】
0004226093.tif 000003
【図３】
0004226093.tif 000004
【図４】
0004226093.tif 000005
【図５】
0004226093.tif 000006
【図６】
0004226093.tif 000007